(57)【要約】【課題】配線による不都合を解消し得るゲート装置を提供すること。【解決手段】ゲート装置１００は、通路を形成する左右一対の通路壁１０１ａ、１０１ｂと、通路壁１０１ａ、１０１ｂに取り付けられ人物の通路の通行を制限する開閉シャッター１０２ａ、１０２ｂ、１０３ａ、１０３ｂと、一対の通路壁１０１ａ、１０１ｂを架け渡すように取り付けられ、取り付けられた状態で人物が通過できる高さを有し、かつ、通路を通過する人物を撮像するカメラ１１１ａ、１１１ｂ及び通路壁１０１ａ、１０１ｂに設けられた電動装置に電力を供給する配線を有する、アーチ１１０と、を有する。【選択図】図２
2020004088.tif 000002
【特許請求の範囲】
【請求項１】
通路を形成する左右一対の通路壁と、
前記通路壁に取り付けられ、人物の前記通路の通行を制限する開閉シャッターと、
前記一対の通路壁を架け渡すように取り付けられ、取り付けられた状態で人物が通過できる高さを有し、かつ、前記通路を通過する人物を撮像するカメラ及び前記通路壁に設けられた電動装置に電力を供給する配線を有する、アーチと、
を具備するゲート装置。
【請求項２】
前記アーチは、左右方向に伸縮可能である、
請求項１に記載のゲート装置。
【請求項３】
前記カメラは、前記アーチの左右の立ち上がり部に設けられている、
請求項１に記載のゲート装置。
【請求項４】
前記カメラは、前記アーチの左右の立ち上がり部にそれぞれ設けられている、
請求項３に記載のゲート装置。
【請求項５】
前記アーチは、照明を有する、
請求項１に記載のゲート装置。
【請求項６】
前記照明は、前記カメラが設置されている位置の近傍に設けられている、
請求項５に記載のゲート装置。
【請求項７】
前記照明の発光は、前記カメラによる撮像結果に基づいて制御される、
請求項５又は６に記載のゲート装置。
【請求項８】
前記電動装置には、前記開閉シャッターを駆動する駆動装置が含まれる、
請求項１に記載のゲート装置。
【請求項９】
前記アーチには表示部が設けられており、
前記ゲート装置を単位時間に通過した人物数に基づいて、前記表示部の表示内容が変更される、
請求項１に記載のゲート装置。
【請求項１０】
利用者情報が入力されることで利用者のチェックイン処理を行う端末と、
カメラ及び開閉シャッターを有し、少なくとも、前記端末に入力された前記利用者の顔画像と前記カメラによって撮像した前記利用者の顔画像との照合結果に基づいて、前記開閉シャッターの開閉を制御するゲート装置と、
前記利用者による前記端末の利用状況と、前記利用者による前記ゲート装置の利用状況とを監視し、当該利用状況に基づいて、前記利用者が前記ゲート装置を通過することを制限する通過制限処理を行う通過制限処理部と、
を具備するシステム。
【請求項１１】
前記通過制限処理部は、
前記利用者が前記端末でチェックインしてから前記ゲート装置に到着するまでの時間を計測し、計測時間が所定のしきい値以上の場合に前記通過制限処理を行う、
請求項１０に記載のシステム。
【請求項１２】
複数の前記端末と、
複数の前記ゲート装置と、
を具備し、
前記通過制限処理部は、
前記利用者がチェックインした端末と、前記利用者が入った前記ゲート装置との位置のずれが所定のずれよりも大きい場合に前記通過制限処理を行う、
請求項１０に記載のシステム。
【請求項１３】
前記通過制限処理部が行う前記通過制限処理は、検査官への警報表示又は前記開閉シャッターの閉制御を含む、
請求項１１又は１２に記載のシステム。
【発明の詳細な説明】
【技術分野】
【０００１】
本開示は、ゲート装置、及びゲート装置を有するシステムに関する。
【背景技術】
【０００２】
空港、イベント会場などの各種施設には、セキュリティなどの理由により、特定の許可された人物だけが通行できる場所が存在する。このような場所には、許可された人物だけを通行可能とするゲート装置が設置される。
【０００３】
例えば、特許文献１には、各種施設やイベント会場などの出入り口に設置されるゲート装置が開示される。
【先行技術文献】
【特許文献】
【０００４】
【特許文献１】特許第４９４３０００号公報
【発明の概要】
【発明が解決しようとする課題】
【０００５】
ところで、この種のゲート装置では、開閉シャッターを駆動するモーターなどに電力を供給する配線が必要となる。一般には、この配線は床に引き回され、その上から床材によって覆われる。このため、配線が引き回されている部分は床面がせり上がっている。
【０００６】
実際上、ゲート装置の本体を構成する左右一対の通路壁にはそれぞれ開閉シャッターが取り付けられており、各通路壁内には各開閉シャッターを駆動するモーターが設けられている。このモーターに電力を供給するための配線が左右一対の通路壁まで延びている。よって、ゲート装置の通路を横切るように配線が通り、このためゲート装置の通路を横切るように床面がせり上がっている。
【０００７】
一般にこの床のせり上がりは数ｃｍ程度であり、人が通過するぶんには大きな問題はないが、それを重い荷物カートなどを押して乗り越えさせるのは煩わしい。特に空港の手荷物引渡場では重いカートを押して移動する人が多いので、配線に起因する床面のせり上がりは邪魔である。
【０００８】
また、配線を床に配設する構造では、ゲート装置のレイアウトの変更などによりゲート装置の通路幅（つまり左右一対の通路壁間の幅）を変更する場合に、床面を剥がすなどの手直しが必要となるので、レイアウト変更に対する柔軟性が低い欠点がある。
【０００９】
本開示の一態様は、配線による不都合を解消し得るゲート装置を提供する。また、本開示の一態様は、ゲート装置を有するシステムにおいてセキュリティを向上させる。
【課題を解決するための手段】
【００１０】
本開示の一態様に係るゲート装置は、
通路を形成する左右一対の通路壁と、
前記通路壁に取り付けられ、人物の前記通路の通行を制限する開閉シャッターと、
前記一対の通路壁を架け渡すように取り付けられ、取り付けられた状態で人物が通過できる高さを有し、かつ、前記通路を通過する人物を撮像するカメラ及び前記通路壁に設けられた電動装置に電力を供給する配線を有する、アーチと、
を具備する。
【００１１】
本開示の一態様に係るシステムは、
利用者情報が入力されることで利用者のチェックイン処理を行う端末と、
カメラ及び開閉シャッターを有し、少なくとも、前記端末に入力された前記利用者の顔画像と前記カメラによって撮像した前記利用者の顔画像との照合結果に基づいて、前記開閉シャッターの開閉を制御するゲート装置と、
前記利用者による前記端末の利用状況と、前記利用者による前記ゲート装置の利用状況とを監視し、当該利用状況に基づいて、前記利用者が前記ゲート装置を通過することを制限する通過制限処理を行う通過制限処理部と、
を具備する。
【発明の効果】
【００１２】
本開示の一態様によれば、配線による不都合を解消し得るゲート装置を実現できる。
【００１３】
また、本開示の一態様によれば、セキュリティの向上したシステムを実現できる。
【００１４】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１５】
【図１】本開示のゲート装置が用いられるシステムの概要を示す図
【図２】実施の形態のゲート装置の外観構成を示す斜視図
【図３】ゲート装置の実際のレイアウト例を示す平面図
【図４】アーチの伸縮機構を示す図
【図５】ＫＩＯＳＫ端末の外観構成を示す斜視図
【図６】通過制限処理の説明に供する図
【図７】他の実施の形態によるゲート装置の外観構成を示す斜視図
【発明を実施するための形態】
【００１６】
以下、本開示の実施の形態について、図面を参照して詳細に説明する。
＜１＞システム構成
先ず、図１を用いて、本開示のゲート装置が用いられるシステムの概要について説明する。システム１０は、ゲート装置１００と、ＫＩＯＳＫ端末２００と、判定サーバ１１と、連携サーバ１２と、パスポートリーダサーバ１３と、有人検査ゲート装置１４と、デジタルサイネージ１５と、監視映像レコーダ１６と、運用監視端末１７と、運用状態表示盤１８と、を有する。
【００１７】
ゲート装置１００及びＫＩＯＳＫ端末２００は、空港の到着ロビーの手荷物引渡場に設置される。より具体的には、ＫＩＯＳＫ端末２００は手荷物引渡場内に設置され、ゲート装置１００は手荷物引渡場の出口の通関ゲートに設置される。
【００１８】
ＫＩＯＳＫ端末２００は、利用者が自動チェックインを行うための入力端末である。ＫＩＯＳＫ端末２００は、パスポートリーダ、顔認証用カメラ、タッチパネル及びＱＲコード（登録商標）リーダなどを有する。利用者はタッチパネルを用いて税関申告書を入力することができる。また、利用者は、予め自分のスマートホンに税関申告書やパスポートの内容を入力しておき、この内容をスマートホンからＱＲコードとして表示出力させ、このＱＲコードをＫＩＯＳＫ端末２００のＱＲコードリーダに読み取らせることができる。これにより、利用者は、前もって税関申告書を作成しておくことができるようになる。ＫＩＯＳＫ端末２００は、パスポートの顔画像と顔認証用カメラの顔画像とを照合することで本人確認を行う。また、ＫＩＯＳＫ端末２００は、顔画像を登録顔画像として判定サーバ１１に出力する。
【００１９】
ゲート装置１００は、顔撮影用カメラで利用者の顔画像を撮影し、この顔画像と判定サーバ１１の登録顔画像とを照合することで、登録済みの本人確認を行う（つまりウォークスルー顔認証を行う）。ゲート装置１００は、利用者が登録されている本人であると確認し、かつ判定サーバ１１により通過させても問題無い判定結果が得られている場合には、開閉シャッターを開ける。
【００２０】
判定サーバ１１は、ＫＩＯＳＫ端末２００からの検査要求に従い、利用者のパスポート番号に基づいてゲート通過可否を判定する。また、判定サーバ１１は、判定履歴などのシステム１０で発生する履歴情報を蓄積管理する。さらに、判定サーバ１１は、複数のＫＩＯＳＫ端末２００及び複数のゲート装置１００の運用状態を監視する。
【００２１】
連携サーバ１２は、下位システム（判定サーバ１１、ＫＩＯＳＫ端末２００、ゲート装置１００）と上位システム（パスポートリーダサーバ１３、有人検査ゲート装置１４）のネットワークを分離し、これらの間で必要なデータを交換するために用いるファイルサーバである。なお、判定サーバ１１が連携サーバ１２の機能を受け持ってもよい。
【００２２】
パスポートリーダサーバ１３は、判定サーバ１１と接続し、パスポートの各種情報を判定サーバ１１に提供する。
【００２３】
有人検査ゲート装置１４は、ゲート装置１００が無人で本人確認を行って開閉シャッターの開閉を行うのに対して、検査官が端末などを用いて本人確認を行ってゲートの通過可否を判断するための装置である。
【００２４】
デジタルサイネージ１５は、システム１０の利用方法等の案内表示を行う表示装置である。デジタルサイネージ１５は、判定サーバ１１からの指示に従い、適時表示コンテンツを変更したり、時間帯によって表示コンテンツを変更することなどが可能となっている。また、デジタルサイネージ１５は、緊急時の画面切り替え機能（割り込み表示機能）を有する。
【００２５】
監視映像レコーダ（映像監視端末と言ってもよい）１６は、各ＫＩＯＳＫ端末２００及び各ゲート装置１００に設けられている監視カメラ映像の蓄積、管理、閲覧を行うことができるようになっている。監視映像レコーダ１６は、各検査場毎に設置され、２４時間、３６５日映像記録を継続する。保存可能な映像データは、検査場のシステム構成に合わせて例えば２週間以上とする。
【００２６】
運用監視端末（履歴管理端末と言ってもよい）１７は、各機器の稼働状態を監視すると共に、各機器の稼働ログ検索を行うことが可能となっている。また、運用監視端末１７は、デジタルサイネージ１５の管理（コンテンツ登録、スケジュール登録など）を行うことができる。さらに、運用監視端末１７は、判定サーバ１１のデータベースにアクセスし、運用情報の検索を行い、運用統計情報等の出力を行うことができる。
【００２７】
運用状態表示盤１８は、各機器の運用状態を一覧表示する。これにより、管理者は、各機器による手続き状態や運用状態を監視できる。
【００２８】
＜２＞ゲート装置の構成
図２は、本実施の形態のゲート装置１００の外観構成を示す斜視図である。図３は、ゲート装置１００の配置の様子を示す平面図である。
【００２９】
図２に示したように、ゲート装置１００は、人物が通過する通路を形成する左右一対の通路壁１０１ａ、１０１ｂを有する。通路壁１０１ａ、１０１ｂには、人物の通路の通行を制限する開閉シャッター１０２ａ、１０２ｂ、１０３ａ、１０３ｂが取り付けられている。図の場合、開閉シャッター１０２ａ、１０２ｂ、１０３ａ、１０３ｂは、通路壁１０１ａ、１０１ｂの一部を形成する柱に取り付けられている。開閉シャッター１０２ａ、１０２ｂはゲート装置１００への入口用の開閉シャッターであり、開閉シャッター１０３ａ、１０３ｂはゲート装置１００からの出口用の開閉シャッターである。
【００３０】
左右一対の通路壁１０１ａ、１０２ｂを架け渡すようにアーチ１１０が設けられている。アーチ１１０は通路壁１０１ａ、１０２ｂに取り付けられている。アーチ１１０は、入口用の開閉シャッター１０２ａ、１０２ｂと出口用の開閉シャッター１０３ａ、１０３ｂの間に設けられている。アーチ１１０は、取り付けられた状態で人物が通過できる高さを有する。アーチ１１０の高さは例えば２００〜２５０［ｃｍ］である。
【００３１】
アーチ１１０はＵ字状である。アーチ１１０の左右の立ち上がり部にはそれぞれ顔撮影用のカメラ１１１ａ、１１１ｂが設けられている。アーチ１１０の立ち上がり部はゲート装置１００の他の部位と比べて高さが高いため、カメラ１１１ａまたは１１１ｂをアーチ１１０に設けることにより、ゲート装置１００を通過する人物の正面顔をとらえやすくなる。また、後述する通り、アーチ１１０の内部には電力供給線が配置されているため、アーチ１１０にカメラ１１１ａ、１１１ｂを設けることにより、カメラ１１１ａ、１１１ｂへ電力を供給するための線を引き回す距離を短くすることができる。
【００３２】
また、アーチ１１０の左右の立ち上がり部にはそれぞれ照明１１２ａ、１１２ｂが設けられている。照明１１２ａ、１１２ｂはそれぞれカメラ１１１ａ、１１１ｂの近傍に設けられている。照明１１２ａ、１１２ｂは通路の人物の顔をカメラ１１１ａ、１１１ｂの方向に向けさせることができる位置に設けられており、人物の注意を喚起することができる光量で光る。照明の発光は、カメラ１１１ａ、１１１ｂによる撮像結果に基づいて制御される。つまり、ゲート装置１００内に入った人物の顔が顔画像の照合ができない程度にカメラ１１１ａ、１１１ｂと異なる方向を向いていたときに、照明１１２ａ、１１２ｂを発光させることで、人物の顔を照明１１２ａ、１１２ｂの方向、すなわちカメラ１１１ａ、１１１ｂの方向に向けさせることができる。
【００３３】
また、カメラ１１１ａ、１１１ｂを立ち上がり部の両方に設けることにより、人物がどちらを向いていても顔撮影を行うことができる。後述する通り、ゲート装置１００は、ゲート装置１００の左右何れかに設けられる検査台とともに用いられる。そのため、ゲート装置１００を通過する人物は、検査官と会話を行うために検査台と同一の方向、又は、検査官からの質問を避けるために逆の方向を向く可能性が高い。これを考慮して、カメラ１１１ａ、１１１ｂをゲート装置１００の通路の左右であるアーチ１１０立ち上がり部の両方に設けることにより、このような人物の動きに対応することができる。
【００３４】
また、アーチ１１０の上部には、表示部１１３及び監視カメラ１１４が設けられている。表示部１１３は、ゲート装置１００内に進入した人物に対して、一時停止することや進行することなどを指示する表示を行う。監視カメラ１１４は、ゲート装置１００内に進入した人物の全体やゲート装置１００の周辺を撮像する。撮像した映像はゲート装置１００の近傍で行われる不正行為の監視および証拠の目的で使用することができる。具体的な不正行為の例としては、ゲート装置１００を通過する人物と検査官との共謀による不正な通過等が考えられる。この目的で設置される監視カメラ１１４は、より広い範囲の不正行為を同時に撮影できるよう魚眼カメラなどを用いると良い。
【００３５】
また、表示部１１３をアーチ１１０の上部に設けることにより、ゲート装置１００を通過する人物の視線を表示部１１３に誘導することができる。これにより、カメラ１１１ａまたは１１１ｂで撮影される人物の顔が顔照合に適さない角度（下向き）になってしまうことを防ぐことができる。
【００３６】
なお、ゲート装置１００の通過を待っている人物等に対する警告や通知などを主目的とするのであれば、表示部１１３をゲート装置１００の手前側に配置してもよい。例えば図２との対応部分に同一符号を付した図７に示したように、ゲート装置５００の入口側の柱や出口側の柱に表示部５１１を設けてもよい。
【００３７】
ここで、人物がゲート装置１００の開閉シャッター１０２ａ、１０２ｂに近づくとセンサー（図示せず）によってこれが検知されて開閉シャッター１０２ａ、１０２ｂが開き、人物はゲート装置１００内に進入可能となる。人物がゲート装置１００内に進入するとカメラ１１１ａ、１１１ｂによって顔画像が撮影される。すると、ゲート装置１００によって本人確認が行われるとともに、この顔画像が判定サーバ１１に送られる。そして、この人物が本人であり、かつ通過させてよい人物である判定が得られると、開閉シャッター１０３ａ、１０３ｂが開き、人物はゲート装置１００から出ることが可能となる。
【００３８】
かかる構成に加えて、アーチ１１０内には、通路壁１０１ａに設けられた電動装置に電力を供給する配線（図示せず）設けられている。この配線は、アーチ１１０の左側の立ち上がり部、上部、及び、右側の立ち上がり部を順次通って、通路壁１０１ａの内部に達している。つまり、配線はアーチ１１０のほぼ全周に亘って配設されている。なお、本実施の形態の場合、電動装置は開閉シャッター１０２ａ、１０３ａを駆動するモーターなどの駆動装置である。
【００３９】
なお、アーチ１１０の断面形状は、この配線が通過できる形であればどのような形状であってもよい。図２のアーチ１１０の断面形状は矩形である（すなわち、立ち上がり部は角柱形状となる）が、例えば図７に示したように、アーチ５１０の断面形状を円形（すなわち、立ち上がり部の立体形状は円柱形状となる）にしても構わないし、他の形状であっても構わない。
【００４０】
このようにアーチ１１０を設け、このアーチ１１０に電力供給用の配線を設けたことにより、床に配線を通す必要がなくなり、配線による床のせり上がりを無くすことができる。この結果、重いカートを押しながら配線に起因する床のせり上がりを越えるといった煩わしさを解消できる。因みに、一般に主電源ラインは検査台３０１まで引き延ばされているので、アーチ１１０を有さないゲート装置においては、検査台３０１から通路壁１０１ａに向かう配線を床を這わせるようにして配置しなければならず、その結果、床面に段差が生じてしまう。本実施の形態では、アーチ１１０を設けることで、このような不都合を有効に解消できる。
【００４１】
図３は、ゲート装置１００の実際のレイアウト例を示す平面図である。実際上、検査台３０１、３０２の間には複数のゲート装置１００が配設される。図３の場合、２つのゲート装置１００が配設されているが、３つ以上のゲート装置１００が配設される場合もある。この場合、検査台３０１、３０２に隣接している通路壁１０１ｂには検査台まで引き延ばされている主電源ラインから直接電力の配線を引き出すことができる。これに対して、検査台３０１、３０２から離れた通路壁１０１ａには主電源ラインから配線を引き延ばさなければならない。本実施の形態では、この配線を床を這わせずにアーチ１１０を介して引き延ばすようになっている。
【００４２】
かかる構成に加えて、アーチ１１０は左右方向に伸縮可能となっている。図４は、アーチ１１０の伸縮機構を示す図である。なお、図４では、図を簡単化するために、図２で示した表示部１１３及び監視カメラ１１４は省略されている。図４Ａに示したように、アーチ１１０の上部は、中央部と、左部と、右部とに分割されている。中央部には、調整孔１２１が形成されており、この調整孔のいずれかを選択して調整ピン１２２を通すことにより、アーチ１１０の左右方向の長さを調整できる。具体的には、図４Ｂに示したように、内側の調整の調整孔１２１に調整ピン１２２を通すことにより、アーチ１１０を縮小状態とすることができる。一方、図４Ｃに示したように、外側の調整の調整孔１２１に調整ピン１２２を通すことによりアーチ１１０を拡幅状態とすることができる。
【００４３】
このようにアーチ１１０を左右方向に伸縮可能な構成としたことにより、レイアウトの変更に柔軟に対応できるようになる。例えば、図３において、レイアウト変更により、検査台３０１と検査台３０２との間の幅が変更されてもそれに柔軟に対応できる。勿論、検査台３０１と検査台３０２との間に３台のゲート装置１００を配置するようなレイアウト変更があった場合でもそれに柔軟に対応できる。
【００４４】
＜３＞ＫＩＯＳＫ端末の構成
次に、ＫＩＯＳＫ端末２００について簡単に説明する。
図５は、ＫＩＯＳＫ端末２００の外観構成を示す斜視図である。ＫＩＯＳＫ端末２００には、パスポートリーダ２０１、タッチパネル２０２、ＱＲコードリーダ２０３、スピーカ２０４及び監視カメラ２０５が設けられている。また、ＫＩＯＳＫ端末２００には、ハーフミラーが配設された正面パネル２１０が設けられている。正面パネル２１０の背面側には顔認証カメラ（図示せず）や表示部などが設けられている。
【００４５】
＜４＞不審者の検出
本実施の形態では、さらに、通過制限処理部を設け、この通過制限処理部が、利用者によるＫＩＯＳＫ端末２００の利用状況と、利用者によるゲート装置１００の利用状況とを監視し、当該利用状況に基づいて、利用者がゲート装置１００を通過することを制限する通過制限処理を行うことを提案する。この通過制限処理部は、例えば判定サーバ１１やゲート装置１００により実現すればよい。
【００４６】
例えば、通過制限処理部は、利用者がＫＩＯＳＫ端末２００でチェックインしてからゲート装置１００に到着するまでの時間を計測し、計測時間が所定のしきい値以上の場合に、通過制限処理として、検査官への警報表示や出口側の開閉シャッター１０３ａ、１０３ｂの閉制御を行う。ここで、ＫＩＯＳＫ端末２００でチェックインしてからゲート装置１００に到着するまでの時間が長いということは、利用者が長時間に亘って手荷物引渡場に滞在して他人の手荷物を物色していたり、トイレなどに隠れて他人の手荷物を隠した可能性がある。よって、このような場合に、上述の通過制限処理を行うことで、盗難などを防止でき、セキュリティを向上させることができる。
【００４７】
また例えば、通過制限処理部は、利用者がチェックインしたＫＩＯＳＫ端末２００と、利用者が入ったゲート装置１００との位置のずれが所定のずれよりも大きい場合に、通過制限処理として、検査官への警報表示や出口側の開閉シャッター１０３ａ、１０３ｂの閉制御を行う。
【００４８】
これについて、図６を用いて説明する。手荷物引渡場には、複数のＫＩＯＳＫ端末２００と、複数のゲート装置１００とが設けられている。通常であれば、あるＫＩＯＳＫ端末２００でチックインした利用者は、そのＫＩＯＳＫ端末に近いゲート装置１００に入るはずである。例えば、図６中の利用者４０１は、検査台３０１と検査台３０２との間のゲート装置１００に入るはずである。しかし、利用者４０１が、例えば検査台３０３と検査台３０４との間のゲート装置１００に入った場合には、利用者４０１が手荷物引渡場内を歩き回った可能性が高い。このような場合に、上述の通過制限処理を行うことで、盗難などを防止でき、セキュリティを向上させることができる。
【００４９】
＜５＞まとめ
以上説明したように、本実施の形態によれば、ゲート装置１００は、人物が通過する通路を形成する左右一対の通路壁１０１ａ、１０１ｂと、通路壁１０１ａ、１０１ｂに取り付けられ人物の通路の通行を制限する開閉シャッター１０２ａ、１０２ｂ、１０３ａ、１０３ｂと、一対の通路壁１０１ａ、１０１ｂを架け渡すように取り付けられ、取り付けられた状態で人物が通過できる高さを有し、かつ、通路の人物を撮像するカメラ１１１ａ、１１１ｂ及び通路壁１０１ａ、１０１ｂに設けられた電動装置に電力を供給する配線を有する、アーチ１１０と、を有する。これにより、配線による不都合を解消し得るゲート装置１００を実現できる。
【００５０】
上述の実施の形態は、実施するにあたっての具体化の一例を示したものに過ぎず、これらによって本開示の技術的範囲が限定的に解釈されてはならないものである。すなわち、本開示はその要旨、またはその主要な特徴から逸脱することの無い範囲で、様々な形で実施することができる。
【００５１】
例えば、上述の実施の形態の処理に加えて、アーチ１１０には表示部１１３の表示内容を、ゲート装置１００を単位時間に通過した人物数に基づいて変更してもよい。例えば単位時間に通過する人数が多いと言うことは、利用者のゲート装置１００での待ち時間が長いことを意味するので、この場合に、表示する案内を丁寧なものに変更するとよい。このようにすれば、待ち時間が長いことによる利用者のいらだちを軽減できる。
【００５２】
上述の実施の形態のゲート装置１００は、空港の手荷物引渡場に限らず、イベント会場などのゲート装置としても適用可能である。
【００５３】
上述の実施の形態のゲート装置１００では、カメラ１１１ａ、１１１ｂは、左右の立ち上がり部に設けられていたが、左右どちらか一方の立ち上がり部にのみ設けてもよい。その場合、照明１１２ａ、１１２ｂは、カメラが設けられている方にのみ設けてもよい。上述した通り、照明は人物の顔をカメラの方角に向かせるために設置されるものであるため、カメラの近傍に設置すれば充分であるし、また、カメラから離れた位置に設置しても逆効果になるためである。なお、カメラの近傍とは、少なくともカメラが設置されている立ち上がり部と同じ立ち上がり部に設置されることを含む。また、顔照合に用いる画像は人物の正面顔が望ましいため、照明は人物の顔を上下方向でも所望の角度を向かせられる位置に設けるとよい。例えば、図２に示すように、カメラ１１１ａ、１１１ｂがアーチ１１０の上段寄りに設けられているようであれば、照明１１２ａ、１１２ｂも上段寄りに設けることが望ましい。このような位置も、カメラの近傍の具体例に含まれる。
【００５４】
上述の実施の形態では、専用のＫＩＯＳＫ端末２００によって利用者のチェックインを行っていたが、他の装置を用いてチェックインを行ってもよい。例えば、顔を登録することのみを目的とするのであれば、カメラが搭載された端末であれば、どのような装置を利用することも可能である。また、ＫＩＯＳＫ端末２００の構成も上述の実施の形態には限られない。上述の実施の形態は、空港の手荷物引渡場を想定しているため、ＫＩＯＳＫ端末２００にパスポートの読み取りや、税関申告書の入力など、空港に特有の情報を収集する機能を持たせているが、ゲート装置１００の通過者を認証する目的であれば、照合に用いる顔画像（上述の実施の形態ではパスポートの顔画像）を取得する機能さえ備えていれば十分である。すなわち、チェックイン処理として最低限必要な処理は、照合に用いる顔画像を身分証または実写などの何らかの形で取得することであり、他の機能は、システムの設置される状況に応じて、適宜追加あるいは削減することができる。
【産業上の利用可能性】
【００５５】
本開示は、例えば空港の手荷物引渡場に配置されるゲート装置及びシステムに適用し得る。
【符号の説明】
【００５６】
１０  システム
１００、５００  ゲート装置
１０１ａ、１０１ｂ  通路壁
１０２ａ、１０２ｂ、１０３ａ、１０３ｂ  開閉シャッター
１１０、５１０  アーチ
１１１ａ、１１１ｂ  カメラ
１１２ａ、１１２ｂ  照明
１１３、５１１  表示部
１１４、２０５  監視カメラ
１２１  調整孔
１２２  調整ピン
２００  ＫＩＯＳＫ端末
２０１  パスポートリーダ
２０２  タッチパネル
２０３  ＱＲコードリーダ
【図１】
2020004088.tif 000003
【図２】
2020004088.tif 000004
【図３】
2020004088.tif 000005
【図４】
2020004088.tif 000006
【図５】
2020004088.tif 000007
【図６】
2020004088.tif 000008
【図７】
2020004088.tif 000009